(57)【要約】      （修正有）【課題】破損、寿命切れ等で、交換が必要になった軸状ランプだけを取り替えることのできる導光板用ランプユニット及び該ユニットを用いた面発光装置の提供。【解決手段】導光板用ランプユニット(１)は、ケース本体(20)内に、複数本の軸状ランプ(４)(４)をケース本体(20)の長手方向に沿って並べ、各軸状ランプ(４)の両端から延びた導電線(41)(41)を、ケース本体(20)の端部或いはケース本体(20)の壁板(23)を貫通して設けられた導電線引出し用の切欠(27)からケース外に引き出し、ケース本体(20)内に、軸状ランプ(４)(４)の光を前記導光板(６)の端面側に反射させるリフレクター(５)を設け、ケース本体(20)から蓋体(３)を外すと、ケース本体(20)の開口部(24)から、軸状ランプ(４)を１本づつ取出し可能であるから、交換の必要な軸状ランプ(４)だけを取り出して、新規の軸状ランプ(４)と入れ替えできる。【選択図】図１
0003114189.tif 000002
【実用新案登録請求の範囲】
【請求項１】
中空杆体であって、長手方向に沿って開口部(24)を有し該開口部(24)に蓋体(３)を具え、取り付けるべき面発光の導光板(６)の端面と対向する面が透明であるケース本体(20)内に、複数本の軸状ランプ(４)(４)をケース本体(20)の長手方向に沿って並べ、各軸状ランプ(４)の両端から延びた導電線(41)(41)を、ケース本体(20)の端部或いはケース本体(20)の壁板(23)を貫通して設けた導電線引出し用の切欠(27)からケース外に引き出し、ケース本体(20)内に、軸状ランプ(４)(４)の光を前記導光板(６)の端面側に反射させるリフレクター(５)を設けており、蓋体(３)を開いて所望の軸状ランプ(４)の交換が可能であることを特徴とする導光板用ランプユニット。
【請求項２】
切欠(27)はケース開口部(24)に連続している、請求項１に記載の導光板用ランプユニット。
【請求項３】
蓋体(３)はケース開口部(24)に、ケース本体(20)の長手方向にスライド可能に嵌まっている、請求項１又は２に記載の導光板用ランプユニット。
【請求項４】
ケース本体(20)は長手方向に沿う一面が開口した断面コ字状のケース本体(２)の該開口部(24)を蓋体(３)で開閉可能に閉じると共に、ケース本体(２)の平行壁板(21)(23)の内、一方の壁板(21)をケース本体(２)の全長に亘って開口部(24)から離れる方向に延長して導光板(６)の背面の一部を受ける受け板(26)を形成している、請求項１乃至３の何れかに記載の導光板用ランプユニット。
【請求項５】
各軸状ランプ(４)の外周面に間隔を存して複数の弾性リング(43)が嵌まっている、請求項１乃至４の何れかに記載の導光板用ランプユニット。
【請求項６】
請求項１乃至５の何れかに記載の導光板用ランプユニット(１)が、その出光面が導光板(６)の端面に対向する様に取り付けられた面発光装置。
【考案の詳細な説明】
【技術分野】
【０００１】
本考案は、広告看板のバックライト等に用いられる面発光装置及びその導光板用ランプユニットに関するものである。
【背景技術】
【０００２】
従来の面発光装置は、図３に示す如く、導光板(６)の端面に沿って軸状ランプ(４)を配備し、断面Ｕ字状の長尺リフレクター(５)でランプ(４)を包囲し、リフレクター(５)の長手方向に沿う両側縁を導光板(６)の表裏両面に当てて両面粘着テープ等で止めている。
導光板(６)が大型の場合、１本の軸状ランプ(４)では長さが足りないときは、複数本の軸状ランプ(４)を導光板の端面の長さ方向に並べて配置する。
【考案の開示】
【考案が解決しようとする課題】
【０００３】
上記従来の面発光装置では、導光板の端面に対して長さ方向に並んだ軸状ランプの内、何れかの軸状ランプが破損した場合、破損した軸状ランプだけを交換する構成にはなっておらず、リフレクターを含む全ての軸状ランプを交換し、或いは導光板を含むユニット全体を交換しており、無駄が多くてコスト高であった。
【０００４】
本考案は、破損、寿命切れ等で、交換が必要になった軸状ランプだけを取り替えることのできる導光板用ランプユニット及び該ユニットを用いた面発光装置を明らかにするものである。
【課題を解決するための手段】
【０００５】
導光板用ランプユニット(１)は、中空杆体であって、長手方向に沿って開口部(24)を有し該開口部(24)に開閉可能に蓋体(３)を具え、取り付けるべき面発光の導光板(６)の端面と対向する面が透明であるケース本体(20)内に、複数本の軸状ランプ(４)(４)をケース本体(20)の長手方向に沿って並べ、各軸状ランプ(４)の両端から延びた導電線(41)(41)を、ケース本体(20)の端部或いはケース本体(20)の壁板(23)を貫通して設けられた導電線引出し用の切欠(27)からケース外に引き出し、ケース本体(20)内に、軸状ランプ(４)(４)の光を前記導光板(６)の端面側に反射させるリフレクター(５)を設けている。
【考案の効果】
【０００６】
導光板用ランプユニット(１)は、ケース本体(20)から蓋体(３)を外すと、ケース本体(20)の開口部(24)から、軸状ランプ(４)を１本づつ取出し可能であるから、交換の必要な軸状ランプ(４)だけを取り出して、新規の軸状ランプ(４)と入れ替えできる。使用に耐える軸状ランプ(４)はそのまま使用できるから、経済的である。
軸状ランプ(４)の導電線(41)(41)は、ケース本体(20)の端部又はケース本体(20)の壁板(23)に開設した切欠(27)から外部に引き出しできるから、導電線(41)(41)の処理に困ることはない。
【考案を実施するための最良の形態】
【０００７】
導光板用ランプユニット(１)は、長尺のケース(２)と該ケース内に配備された複数本の軸状ランプ(４)(４)と、リフレクター(５)とによって構成される。
軸状ランプ(４)は冷陰極管である。実施例では軸状ランプ(４)は同じ長さのものが２本であって、１本の軸状ランプ(４)は、ケース(２)の全長よりもかなり短く、ケースの全長の１／２よりも長い。従って、ケース(２)の一端に一方の軸状ランプ(４)の端部を合わせ、ケース(２)の他端に他方の軸状ランプ(４)の端部を合わせて、２本の軸状ランプ(４)(４)を収容すると、ケース(２)の中央部で、両軸状ランプ(４)(４)が重なる部分が生じる。
各軸状ランプ(４)の外周面には、複数の弾性リング(43)が嵌められる。弾性リング(43)は、軸状ランプ(４)が、ケース本体(20)内面や、隣り合う軸状ランプ(４)との衝突した際の衝撃を緩和して軸状ランプ(４)を保護するためのものである。実施例の弾性リング(43)は、シリコン樹脂製である。
各軸状ランプ(４)の両端から導電線(41)(41)が延び、両導電線(41)(41)は共通のコネクタ(42)に繋がっている。
【０００８】
ケース(２)は、中空杆体であって長手方向に沿って開口部(24)を有す透明のケース本体(20)と該開口部(24)に装着された蓋体(３)とからなる。
ケース本体(20)は、３つの壁板(21)(22)(23)に囲まれた断面コ状に形成され、平行な壁板(21)(23)の何れか一方の壁板(21)を開口部(24)から離れる方向に延長して受け板(26)が設けられる。
受け板(26)は、ケース本体(20)の全長に亘って同幅に形成され、導光板用ランプユニット(１)を導光板(６)に取り付ける際に、導光板(６)の端部を載せるためのものである。
【０００９】
前記ケース本体(20)の平行壁板(21)(23)の内、他方の壁板(23)に１又は複数箇所に導電線引出し用の切欠(27)が開設される。
切欠(27)は、ケース本体(20)の両端から、略軸状ランプ(４)の長さ分だけ内側に位置して開設される。前記の如く、実施例では軸状ランプ(４)は２本であり、ケース本体(20)の中央部で２本の軸状ランプ(４)(４)が重なり合う部分が生じるから、用切欠(27)は２箇所となる。ケース本体(20)内の軸状ランプ(４)(４)の互いの外側の導電線(41)、(41)は、ケース本体(20)の端部開口から、又、内側の導電線(41)、(41)は、前記切欠(27)、(27)からケース本体(20)の外側に引き出される。
【００１０】
尚、軸状ランプ(４)が３本で、隣り合う軸状ランプ(４)(４)の端部が重なる場合、導電線引出し用の切欠(27)は４箇所となる。但し、隣り合う軸状ランプ(４)(４)の端部の重なり長さが短い場合、１箇所の切欠(27)から、隣り合う軸状ランプ(４)(４)の夫々の一端の導電線(41)、(41)を引き出すことができるから、導電線引出し用切欠(27)の個数を減らすことができる。
【００１１】
図２に示す如く、ケース本体(20)には、開口部(24)側から軸状ランプ(４)に被さる様にリフレクター(５)が挿入される。
リフレクター(５)は、ケース本体(20)の長さと同長さの合成樹脂製の薄帯体を、長手方向に沿う両側縁側を平行な折り線で折り曲げて、該両側縁の成す角度が１２０°程度の変形コ字状に形成されている。
リフレクター(５)は、長手方向に沿う両側縁がケース本体(20)の平行壁板(21)(23)内面を突っ張る様にして、ケース本体(20)に収容されている。
リフレクター(５)には、前記ケース本体(20)の切欠(27)と重なる様に切欠(図示せず)が開設されている。
【００１２】
ケース本体(20)の平行壁板(21)(23)の互いの開口部(24)寄り内面にレール溝(25)(25)が対向して開設され、該レール溝(25)(25)にケース本体(20)と同じ長さの帯板状蓋体(３)がスライド可能に嵌められている。
【００１３】
上記導光板用ランプユニット(１)をセットする導光板(６)は、アクリル樹脂等、透明度の高い樹脂やガラスで形成され、光出射面である正面に対して背面は、端面から入射した光を乱反射させる凹凸面に形成され、更に該背面に反射シートを被せる等により反射層(62)を設けている。
【００１４】
導光板(６)は、背面をケース(２)の受け板(26)に載せ、端面を蓋体(３)と平行な壁板(22)に対向させ、取付け手段(７)によって導光板用ランプユニット(１)を取り付けている。
実施例の取付け手段(７)は、受け板(26)と導光板(６)との間に介在させた両面粘着テープ(71)である。
【００１５】
導光板用ランプユニット(１)をセットした導光板(６)の正面には半透明の乳白色板(８)が被せられ、フレーム(９)に収容されて面発光装置を完成する。
フレーム(９)には、外部配線と繋がった基板(図示せず)が内蔵され、前記軸状ランプ(４)のコネクタ(42)は、該基板に接続される。
又、フレーム(９)は、導光板用ランプユニット(１)と導光板(６)を一緒にフレーム(９)から取り外し可能、或いは、導光板用ランプユニット(１)だけを取り外し可能に構成されている。
【００１６】
然して、導光板用ランプユニット(１)の何れかの軸状ランプ(４)に、破損又は寿命切れが生じた場合、フレーム(９)から導光板用ランプユニット(１)を取り出す。
ケース(２)の蓋体(３)をスライドさせて外し、ケース本体(20)の一面を全長に亘って開放する。
異常のある軸状ランプ(４)をケース本体(20)の開口部(24)から取り出す。該軸状ランプ(４)の２本の導電線(41)(41)の内、１本はケース本体(20)の端部開口から、他の１本は、ケース本体(20)の開口部(24)に連続する切欠(27)から外部に引き出されているから、軸状ランプ(４)を開口部(24)から側方へ引き出すだけで、導電線(41)(41)が邪魔になることはなく、簡単に軸状ランプ(４)を取り外すことができる。
ケース本体(20)の開口部(24)は、ケース本体(20)の全長に亘って開口しているから、取り替えるべき軸状ランプ(４)がどの位置のあっても、簡単にケース本体(20)から取り出しできる。
【００１７】
取り出した軸状ランプ(４)に替えて、新規の軸状ランプ(４)をケース本体(20)に嵌め、前記同様にして導電線(41)(41)をケース本体(20)に引き出す。
【００１８】
軸状ランプ(４)の交換は、導光板用ランプユニット(１)を導光板(６)にセットしたままでも、或いは、導光板用ランプユニット(１)を導光板(６)から外した状態でも行うことができ、導光板用ランプユニット(１)と導光板(６)のフレーム(９)への取り付け構造に応じて、選択すればよい。
【００１９】
上記実施例の説明は、本考案を説明するためのものであって、実用新案登録請求の範囲に記載の考案を限定し、或は範囲を減縮する様に解すべきではない。又、本考案の各部構成は上記実施例に限らず、実用新案登録請求請求の範囲に記載の技術的範囲内で種々の変形が可能である。
【図面の簡単な説明】
【００２０】
【図１】導光板用ランプユニットの分解斜面図である。
【図２】導光板用ランプユニットの断面図である。
【図３】従来例の軸状ランプとリフレクターの導光板への取付け状態の部分斜視図である。
【符号の説明】
【００２１】
１  導光板用ランプユニット
２  ケース
20  ケース本体
24  開口部
26  受け板
27  導電線引出し用切欠
３  蓋体
４  軸状ランプ
41  導電線
５  リフレクター
６  導光板
【図１】
0003114189.tif 000003
【図２】
0003114189.tif 000004
【図３】
0003114189.tif 000005